(57)【要約】【課題】  乗場床の突出代をできるだけ小さくするとともに、地震後に所定の位置に復帰できるようにした免震建物用エレベータの可動乗場装置を得る。【解決手段】  乗降通路７の建築体側にそれぞれ設けられ、固定出入口１９を形成する固定床板２０、固定天井２１及び固定側壁２３と、乗降通路の昇降路５側に設けられ、固定床板の上面に常時重合するように配設された可動側床板２４と、乗降通路の昇降路側にそれぞれ設けられ、固定天井及び固定側壁の内側にそれぞれ摺動可能に嵌め込まれた複数の可動天井２８及び可動側壁２７とを備え、固定床板２０は、建築体側の乗場床の凹部内に設置された中空状の固定床板本体２０ａと、この固定床板本体内に出没自在に嵌挿された可動式突出床２０ｂと、固定床板本体と可動式突出床との間に設けられ、可動式突出床を常時突出状態に付勢する伸縮部材２０ｃとから構成する。【選択図】    図５
2005298153.tif 000002
【特許請求の範囲】
【請求項１】
基部建築体に免震装置を介して免震建築体が支持され、かつ基部建築体及び免震建築体に昇降路が形成され、この昇降路及び建築体の間に乗降通路が設けられ、この乗降通路の建築体側に固定出入口が設けられ、かつ乗降通路の昇降路側に可動出入口が設けられた免震建物用エレベータの乗場装置において、
前記乗降通路の建築体側にそれぞれ設けられ、固定出入口を形成する固定床板、固定天井及び固定側壁と、
前記乗降通路の昇降路側に設けられ、前記固定床板の上面に常時重合するように配設された可動側床板と、
前記乗降通路の昇降路側にそれぞれ設けられ、前記固定天井及び固定側壁の内側にそれぞれ摺動可能に嵌め込まれた複数の可動天井及び可動側壁とを備え、
前記固定床板は、建築体側の乗場床の凹部内に設置された中空状の固定床板本体と、この固定床板本体内に出没自在に嵌挿された可動式突出床と、固定床板本体と可動式突出床との間に設けられ、可動式突出床を常時突出状態に付勢する伸縮部材とから構成したことを特徴とする免震建物用エレベータの可動乗場装置。
【請求項２】
基部建築体に免震装置を介して免震建築体が支持され、かつ基部建築体及び免震建築体に昇降路が形成され、この昇降路及び建築体の間に乗降通路が設けられ、この乗降通路の建築体側に固定出入口が設けられ、かつ乗降通路の昇降路側に可動出入口が設けられた免震建物用エレベータの乗場装置において、
前記乗降通路の建築体側にそれぞれ設けられ、固定出入口を形成する固定床板、固定天井及び固定側壁と、
前記乗降通路の昇降路側に設けられ、前記固定床板の上面に常時重合するように配設された可動側床板と、
前記乗降通路の昇降路側にそれぞれ設けられ、前記固定天井及び固定側壁の内側にそれぞれ摺動可能に嵌め込まれた複数の可動天井及び可動側壁とを備え、
前記固定床板は、建築体側の乗場床の凹部内に設置された中空状の固定床板本体と、この固定床板本体内に出没自在に嵌挿された可動式突出床と、固定床板本体と可動式突出床との間に設けられ、可動式突出床を常時突出状態に付勢する伸縮部材とから構成するとともに、前記可動式突出床の先端部と乗降通路の昇降路側の可動出入口固定部との間に、可動式突出床が戻れるように引っ張り方向のみに動作するリンク機構を設けたことを特徴とする免震建物用エレベータの可動乗場装置。
【請求項３】
固定床板本体は、可動式突出床が嵌挿される側の先端上面部を傾斜状もしくは曲面状に形成し、これと対向する可動床板の先端傾斜面の先端部を曲面状に形成したことを特徴とする請求項１又は請求項２記載の免震建物用エレベータの可動乗場装置。
【請求項４】
伸縮部材としてバネを用いたことを特徴とする請求項１〜請求項３のいずれかに記載の免震建物用エレベータの可動乗場装置。
【発明の詳細な説明】
【技術分野】
【０００１】
この発明は、基部建築体に免震装置を介して免震建築体が支持され、また基部建築体及び免震建築体に昇降路が形成され、この昇降路及び建築体の間に乗降通路が設けられた免震建物用エレベータの可動乗場装置に関するものである。
【背景技術】
【０００２】
従来の免震建物用エレベータの乗場装置において、基部建築体に免震装置を介して支持された免震建築体と、免震建築体に形成されて基部建築体に嵌合状態に配置された昇降路とが設けられ、建築体と昇降路との間に乗降通路が配置される。すなわち、昇降路に設けられて乗降通路の一側を形成する昇降路出入口が配置され、また基部建築体に設けられて昇降路出入口に対向して配置されて乗降通路の他側を形成する基部出入口が装備される。
【０００３】
そして、基部出入口に基部板の一側を保持して昇降路出入口方向へ突設し、また昇降路出入口に昇降路板の一側を保持して基部出入口方向へ突設する。さらに、中間板の一側を基部板の他側に係合し中間板の他側は昇降路板の他側に係合し、基部板と昇降路板の両者間の空所を塞ぎ、上記両者と中間板により乗降通路の床面を形成する。
【０００４】
これによって、地震時、強風時の基部建築体と昇降路の双方の相互間距離等の変化に対応する。このような構成によって、地震時等であって上記双方が水平方向に相対変位した場合に、乗降通路が変位したり伸縮するように構成している（例えば、特許文献１参照）。また、他の従来技術として、左右の建物が地震等によって左右方向に揺れ動いても、その揺れ動きを吸収することができるとともに、常時所定間隔となるように移動する複数本の遮断幕支持バーに小さな撓みで遮断幕を固定した遮断幕装置が提案されている（例えば、特許文献２参照）。また、筒状の乗降通路本体の内側に入れ子式に配置され、かつ先端が免震昇降路の乗降開口部に対して左右方向に相対移動可能に連結した筒状の可動中筒と、乗降階床上に後端が固定され、可動中筒の床プレート上に摺動可能に重ね合された固定プレートの下部にあって、乗降階床上に固定され、位置の復元機構として乗降通路本体を常時先端側に押圧付勢するバネ装置を備えたエレベータの乗降用出入口構造が提案されている（例えば、特許文献３参照）。
【０００５】
【特許文献１】特開平１１−１７１４２９号公報（要約、図１）
【特許文献２】特開平１１−８１４９９号公報
【特許文献３】特開平１１−３３５０２３号公報
【発明の開示】
【発明が解決しようとする課題】
【０００６】
従来の免震建物用エレベータの乗場装置では、地震時等であって基部建築体と昇降路とに相対変位が発生した場合に、基部建築体の基部出入口に対して昇降路が、基部出入口の上縁部に対する間隔と基部出入口の下縁部に対する間隔との間に差異が生じる方向に傾斜する変位、すなわち基部出入口に対して昇降路に出入口の出入方向に沿う方向の倒れ傾斜が発生する。
このように基部出入口に対して出入方向に昇降路の倒れ傾斜が発生したときに、基部板、昇降路板及び中間板により構成された従来の乗降通路では、昇降路の倒れ傾斜に基づく基部出入口と昇降路出入口の相対変位に対する対応が不十分である。すなわち、基部板、昇降路板及び中間板それぞれの幅方向の一側が上下する方向に傾斜する。このため、相互間の摺動変位が不円滑になって部材が変形したり、不快な軋み音を発生したりするという問題点があった。また、かかる問題を解決するために、地震発生時に円滑に摺動変位させるものも提案されているが、地震発生後に乗場装置の可動部分が正規位置に戻らなくなり、不揃いとなるので、見栄えが悪くなる。従って、再設定する必要があり、非常に手間がかかっていた。また、他の従来技術の遮断幕装置は、免震建物用エレベータの可動乗場装置にそのまま転用することはできなかった。また、従来技術のエレベータの乗降用出入口構造は、バネ装置の付勢力によって、乗降通路本体を常時免震昇降路の乗降路側に押圧付勢されているが、乗場床の突出代の問題については考慮されていなかった。
【０００７】
この発明は、かかる問題点を解消するためになされたものであり、乗場床の突出代をできるだけ小さくするとともに、地震後に所定の位置に復帰できるようにした免震建物用エレベータの可動乗場装置を提供するものである。
【課題を解決するための手段】
【０００８】
この発明に係る免震建物用エレベータの可動乗場装置においては、基部建築体に免震装置を介して免震建築体が支持され、かつ基部建築体及び免震建築体に昇降路が形成され、この昇降路及び建築体の間に乗降通路が設けられ、この乗降通路の建築体側に固定出入口が設けられ、かつ乗降通路の昇降路側に可動出入口が設けられたものにおいて、乗降通路の建築体側にそれぞれ設けられ、固定出入口を形成する固定床板、固定天井及び固定側壁と、乗降通路の昇降路側に設けられ、固定床板の上面に常時重合するように配設された可動側床板と、乗降通路の昇降路側にそれぞれ設けられ、固定天井及び固定側壁の内側にそれぞれ摺動可能に嵌め込まれた複数の可動天井及び可動側壁とを備え、固定床板は、建築体側の乗場床の凹部内に設置された中空状の固定床板本体と、この固定床板本体内に出没自在に嵌挿された可動式突出床と、固定床板本体と可動式突出床との間に設けられ、可動式突出床を常時突出状態に付勢する伸縮部材とから構成したものである。
【０００９】
更に、可動式突出床の先端部と乗降通路の昇降路側の可動出入口固定部との間に、可動式突出床が戻れるように引っ張り方向のみに動作するリンク機構を設けたものである。
【００１０】
また、固定床板本体は、可動式突出床が嵌挿される側の先端上面部を傾斜状もしくは曲面状に形成し、これと対向する可動床板の先端傾斜面の先端部を曲面状に形成したものである。
【００１１】
また、伸縮部材としてバネを用いたものである。
【発明の効果】
【００１２】
この発明は、乗降通路の建築体側にそれぞれ設けられ、固定出入口を形成する固定床板、固定天井及び固定側壁と、乗降通路の昇降路側に設けられ、固定床板の上面に常時重合するように配設された可動側床板と、乗降通路の昇降路側にそれぞれ設けられ、固定天井及び固定側壁の内側にそれぞれ摺動可能に嵌め込まれた複数の可動天井及び可動側壁とを備え、固定床板は、建築体側の乗場床の凹部内に設置された中空状の固定床板本体と、この固定床板本体内に出没自在に嵌挿された可動式突出床と、固定床板本体と可動式突出床との間に設けられ、可動式突出床を常時突出状態に付勢する伸縮部材とから構成したので、建築体側の乗場床の突出代を大きくする必要がないという効果がある。
【００１３】
また、可動式突出床の先端部と乗降通路の昇降路側の可動出入口固定部との間に、可動式突出床が戻れるように引っ張り方向のみに動作するリンク機構を設けたり、或いは固定床板本体は、可動式突出床が嵌挿される側の先端上面部を傾斜状もしくは曲面状に形成し、これと対向する可動床板の先端傾斜面の先端部を曲面状に形成したことにより、可動式突出床を容易に元に戻すことができる効果がある。
【発明を実施するための最良の形態】
【００１４】
実施の形態１．
図１は免震建物用エレベータを概念的に示す縦断面図、図２は図１の免震建物用エレベータの地震時の状況を説明する図、図３はこの発明を実施するための実施の形態１における免震建物用エレベータの可動乗場装置を示す正面図、図４は図３のＡ−Ａ線に沿った断面図、図５は可動乗場装置における外面を示す側面図、図６は可動乗場装置の可動部分の短縮時の状態を示す側面図、図７は可動乗場装置の可動部分の最長伸長時の状態を示す側面図、図８は可動乗場装置の可動部分の短縮時の状態を示す平面図、図９は可動乗場装置の可動部分の最長伸長時の状態を示す平面図、図１０〜図１２は可動乗場装置の可動床部分における３通りの伸縮状態を示す側面図、図１３は地震時の状況を説明する図４相当図である。  
【００１５】
図１〜図６において、大地１に基部建築体２が建設され、基部建築体２の上の免震装置３により免震建築体４が支持される。そして、基部建築体２及び免震建築体４に縦通した昇降路５が設けられ、昇降路５における基部建築体２の上部から免震建築体４の下部の間にわたって複数の可動昇降路枠６が互いに離れて配置される。また、基部建築体２と可動昇降路枠６の間に乗降通路７が設けられる。
【００１６】
そして、昇降路５に立設されて可動昇降路枠６に連結されたかご用案内レール８に昇降路５を昇降するかご９が案内され、また昇降路５に立設されて可動昇降路枠６に連結されたつり合おもり用案内レール１０に昇降路５を昇降するつり合おもり１１が案内される。
【００１７】
また、免震建築体４の上部に機械室１２が設けられて巻上機１３が設置され、それの駆動綱車に主索１４が巻掛けられて一端にかご９が他端につり合おもり１１が吊持される。そして、昇降路５の底面にかご９、つり合おもり１１のそれぞれに対向して緩衝器１５が立設される。
【００１８】
また、乗降通路７の一側である可動昇降路枠６側に昇降路出入口１６が装備され、昇降路出入口１６を開閉する乗場の戸１７、昇降路出入口１６の下縁部に乗場の戸１７の下端を案内する敷居１８が設けられる。そして、昇降路出入口１６に対向した基部建築体２及び免震建築体４側に乗降通路７の他側を形成する固定側出入口１９が設けられる。
【００１９】
そして、固定側出入口１９の下縁部に配置され昇降路出入口１６に向かって突設された固定側床板２０が設けられ、また固定側出入口１９の上縁部に配置され昇降路出入口１６に向かって突設された固定側天井板２１が設けられる。また、固定側出入口１９の側縁部に一側が鉛直軸線を介して枢着され他側は昇降路出入口１６寄りに配置され、上端が固定側天井板２１に空隙を形成して配置され下端は固定側床板２０に空隙を形成して配置された固定側壁板２３が設けられる。これにより、乗降通路７の固定床、固定側壁、固定天井が形成される。なお、固定側床板２０は、建築体の乗場床の凹部内に設置され、上面が乗場床面と面一でかつ先端部が建築体の乗場床の端部とほぼ同位置となるように設けられた中空状の固定側床板本体２０ａと、この固定側床板本体２０ａ内に出没自在に嵌挿された可動式の突出床２０ｂと、中空状の固定側床板本体２０ａ内の後端部と可動式突出床２０ｂの後端部との間に設けられ、可動式突出床２０ｂを常時、図４、図５、及び図１０に示す突出状態に付勢するバネ等の伸縮部材２０ｃとから構成されている。また、可動式突出床２０ｂは、バネ等の伸縮部材２０ｃにより、地震等で左右方向の力が加わると、図６、図８、及び図１１に示す短縮状態に圧縮されるか、或いは図７、図９、及び図１２に示す最長伸長状態まで伸長されるものである。なお、図１２において、距離Ｌが可動式突出床２０ｂの可動ストロークであり、これにより、建築体の乗場床の突出代を大きくする必要がなくなるものである。
【００２０】
一方、乗降通路７の可動側壁、可動天井は次のように構成される。乗降通路７の可動側壁２７及び可動天井２８は、複数枚、例えば３枚の門型ステンレス板によりそれぞれ構成されている。この門型ステンレス板から成る可動側壁２７及び可動天井２８は、固定天井板２１及び固定側壁板２３の内側に摺動自在に嵌め込まれた第１の可動側壁２７ａ及び第１の可動天井２８ａ、この第１の可動側壁２７ａ及び第１の可動天井２８ａの内側に摺動自在に嵌め込まれた第２の可動側壁２７ｂ及び第２の可動天井２８ｂ、この第２の可動側壁２７ｂ及び第２の可動天井２８ｂの内側に摺動自在に嵌め込まれた第３の可動側壁２７ｃ及び第３の可動天井２８ｃから構成された三層構造である。この乗降通路７の可動側壁２７及び可動天井２８は、地震発生時に互いに摺動自在に嵌め込まれた部分が伸縮し、図８、図９、及び図１３に示すように変位する。なお、第３の可動側壁２７ｃ及び第３の可動天井２８ｃの可動昇降路枠６側端は、鉛直軸線及び垂直軸線を介して枢着されている。
【００２１】
また、乗降通路７の固定側壁板２３と各可動側壁２７ａ〜２７ｃの外側の上下２個所には、パンタグラフ動作機構からなる垂直方向の伸縮連結リンク３０が設けられている。この伸縮連結リンク３０の両端部は枢軸ピン３０ａ、３０ｂにより固定側壁板２３と第３の可動側壁２７ｃに枢支されている。この垂直方向の伸縮連結リンク３０の中間部の枢軸ピン３０ｃ、３０ｄは第１の可動側壁２７ａ及び第２の可動側壁２７ｂにそれぞれ枢支されており、この第１の可動側壁２７ａ及び第２の可動側壁２７ｂの枢支部分には枢軸ピン３０ｃ、３０ｄが挿入される縦長の長孔３１が設けられている。同様に、乗降通路７の固定天井板２１と各可動天井２８ａ〜２８ｃの外側の左右２個所には、パンタグラフ動作機構からなる水平方向の伸縮連結リンク３２が設けられている。この水平方向の伸縮連結リンク３２の両端部は枢軸ピン３２ａ、３２ｂにより固定天井板２１と第３の可動天井２８ｃに枢支されている。この伸縮連結リンク３２の中間部の枢軸ピン３２ｃ、３２ｄは第１の可動天井２８ａ及び第２の可動天井２７ｂにそれぞれ枢支されており、この第１の可動天井２８ａ及び第２の可動天井２８ｂの枢支部分には枢軸ピン３２ｃ、３２ｄが挿入される縦長の長孔が設けられている。
【００２２】
また、乗降通路７の可動床板は次のように構成される。昇降路出入口１６の下縁部に可動床板２４が配置されて、一側が水平軸線２５を介して枢着され、他側は固定側出入口１９寄りに配置されて固定側床板本体２０ａの上面に常時重合し、先端部に先端が下方に傾斜した傾斜面２６が形成される。この可動床板２４は、常時図５及び図１０に示すように、固定側床板本体２０ａと可動式突出床２０ｂの上面に相当の距離を持って重合している。また、地震発生時に可動床板２４と固定側床板本体２０ａとの重合距離が図６及び図１１（短縮時で重合距離大）、又は図７及び図１２（最長伸長時で重合距離小）のように変化しても、乗降通路７の床面が確保される構成である。特に、図７又は図１２に示す最長伸長時には、可動ストロークＬ分だけ突出した可動式突出床２０ｂの上面に重合して支持される。これにより、建築体の乗場床の突出代を大きくする必要がなくなるものである。
【００２３】
また、可動昇降路枠６側に装備された昇降路出入口１６の床側下端部の固定部と可動式突出床２０ｂの先端部との間を連結するリンク機構３３を設けている。このリンク機構３３は可動式突出床２０ｂが戻れるように引っ張り方向のみに動作するリンク機構である。
【００２４】
上記のように構成された免震建物用エレベータの可動乗場装置において、常時、すなわち免震装置３に水平方向の変形がない状態では図１に示すようにかご用案内レール８、つり合おもり用案内レール１０が鉛直に配置され、また複数の可動昇降路枠６は上下方向に互いに離れて鉛直線上に配置される。そして、図１に示す状態によりかご９、つり合おもり１１が昇降運転される。
【００２５】
また、常時において昇降路出入口１６、固定側出入口１９は相互に所定の間隔に配置され、かつそれぞれ鉛直姿勢に配置される。そして、固定側床板本体２０ａと可動式突出床２０ｂの上に可動床板２４が十分な距離重合して配置される。また、固定天井板２１の下面に第１の可動天井２８ａが重合して配置され、更にその下面に第２の可動天井２８ｂ、その下面に第３の可動天井２８ｃがそれぞれほぼ等間隔に重合して配置される。また、固定側壁板２３の乗降通路７内面に第１の可動側壁２７ａが重合して配置され、更にその下面に第２の可動側壁２７ｂ、その下面に第３の可動側壁２７ｃがそれぞれほぼ等間隔に重合して配置される。
【００２６】
以上説明した構成によって、図４、図５、図１０に示すように常時において、床面、壁面、天井面において隙間のない乗降通路７が形成されて、美観を呈する乗降通路７を実現することができる。そして、地震時、強風時に基部建築体２及び免震建築体４が相対変位して免震装置３に水平方向の変形が発生した場合に、図２に示すように可動昇降路枠６の配置位置においてかご用案内レール８、つり合おもり用案内レール１０に弾性変形による撓みが生じる。
【００２７】
そして、かご用案内レール８等が撓んだときに、可動昇降路枠６によってかご用案内レール８、つり合おもり用案内レール１０の水平面における相互位置が所定位置に保持される。
この状態において、複数の可動昇降路枠６が乗降通路７の通行方向と直交する横方向にずれる変位が発生した場合には、図１３に示す状態となる。
【００２８】
そして、固定側床板２０は、中空状の固定側床板本体２０ａと、この固定側床板本体２０ａ内に出没自在に嵌挿された可動式の突出床２０ｂと、中空状の固定側床板本体２０ａ内の後端部と可動式突出床２０ｂの後端部との間に設けられ、可動式突出床２０ｂを常時、図４、図５、及び図１０に示す突出状態に付勢するバネ等の伸縮部材２０ｃとから構成されているので、可動式突出床２０ｂは、バネ等の伸縮部材２０ｃにより、地震等で左右方向の力が加わると、図６、図８、及び図１１に示す短縮状態に圧縮されるか、或いは図７、図９、及び図１２に示す最長伸長状態まで伸長される。これにより、建築体の乗場床の突出代を大きくする必要がなくなるものである。また、上記固定側壁板２３と各可動側壁２７ａ〜２７ｃとの相互間、及び固定天井板２１と各可動天井２８ａ〜２８ｃとの相互間がそれぞれの伸縮連結リンク３０、３２により互いに均等に伸縮しながら摺動変位するので、乗降通路７の美観を維持することができる。また、地震発生後に乗降通路７を正規位置に復帰させる場合でも、それぞれの伸縮連結リンク３０、３２により可動側壁、可動天井を、均等間隔を維持しながら摺動変位させて復帰させることができるので、不揃いがなく、見栄えが良い乗降通路７の再設定を極めて簡単に実施することができる。
【００２９】
実施の形態２．
図１４はこの発明の実施の形態２における免震建物用エレベータの可動乗場装置の可動床部分が復帰する途上の状態を示す部分側面図である。
図１４において、固定側床板本体２０ａは、その可動式突出床２０ｂが嵌挿される側である先端の上面部を傾斜状もしくは曲面状に形成したものである。そして、これと対向する可動床板２４の先端傾斜面２６の先端部も曲面状に形成したものである。この可動床板２４は、常時は図１０に示すように、固定側床板本体２０ａと可動式突出床２０ｂの上面に相当の距離を持って重合しているが、地震発生時に、図１２に示す最長伸長時のように、可動ストロークＬ分だけ突出した可動式突出床２０ｂの上面に可動床板２４が重合して支持された状態から、元の状態に復帰させる時は、図１４に示すように、固定側床板本体２０ａの先端上面の傾斜状もしくは曲面状部に、復帰する可動床板２４の先端傾斜面２６の曲面状部が当接するので、可動床板２４の先端部は容易に固定側床板本体２０ａを乗り上げることができる。これにより、可動床板２４を速やかに元の所定位置に復帰させることができる。  
【図面の簡単な説明】
【００３０】
【図１】免震建物用エレベータを概念的に示す縦断面図である。
【図２】図１の免震建物用エレベータの地震時の状況を説明する図である。
【図３】この発明の実施の形態１における免震建物用エレベータの可動乗場装置を示す正面図である。
【図４】図３のＡ−Ａ線に沿った断面図である。
【図５】可動乗場装置における外面を示す側面図である。
【図６】可動乗場装置の可動部分の短縮時の状態を示す側面図である。
【図７】可動乗場装置の可動部分の最長伸長時の状態を示す側面図である。
【図８】可動乗場装置の可動部分の短縮状態を示す平面図である。
【図９】可動乗場装置の可動部分の最長伸長時の状態を示す平面図である。
【図１０】可動乗場装置の可動床部分における伸縮状態のうちの一態様を示す側面図である。
【図１１】可動乗場装置の可動床部分における伸縮状態のうちの一態様を示す側面図である。
【図１２】可動乗場装置の可動床部分における伸縮状態のうちの一態様を示す側面図である。
【図１３】地震時の状況を説明する図４相当図である。
【図１４】この発明の実施の形態２における免震建物用エレベータの可動乗場装置の可動床部分が復帰する途上の状態を示す部分側面図である
【符号の説明】
【００３１】
１  大地
２  基部建築体
３  免震装置
４  免震建築体
５  昇降路
６  可動昇降路枠
７  乗降通路  
８  かご用案内レール  
９  かご  
１０  つり合おもり用案内レール
１１  つり合おもり
１２  機械室  
１３  巻上機  
１４  主索
１５  緩衝器
１６  昇降路出入口
１７  乗場の戸
１８  敷居
１９  固定側出入口
２０  固定側床板
２０ａ  固定床板本体  
２０ｂ  可動式突出床  
２０ｃ  バネ等の伸縮部材
２１  固定側天井板  
２３  固定側壁板
２４  可動床板  
２５  水平軸線
２６  傾斜面
２７  可動側壁  
２７ａ〜２７ｃ  第１〜第３の可動側壁  
２８  可動天井
２８ａ〜２８ｃ  第１〜第３の可動天井  
３０  垂直方向の伸縮連結リンク（パンタグラフ動作機構）  
３０ａ〜３０ｄ  枢軸ピン
３１  長孔
３２  水平方向の伸縮連結リンク（パンタグラフ動作機構）  
３２ａ〜３２ｄ  枢軸ピン
３３  リンク機構
【図１】
2005298153.tif 000003
【図２】
2005298153.tif 000004
【図３】
2005298153.tif 000005
【図４】
2005298153.tif 000006
【図５】
2005298153.tif 000007
【図６】
2005298153.tif 000008
【図７】
2005298153.tif 000009
【図８】
2005298153.tif 000010
【図９】
2005298153.tif 000011
【図１０】
2005298153.tif 000012
【図１１】
2005298153.tif 000013
【図１２】
2005298153.tif 000014
【図１３】
2005298153.tif 000015
【図１４】
2005298153.tif 000016